(57)【特許請求の範囲】
【請求項１】
矩形状の底板と、底板の上方に配置した矩形枠状の口枠と、底板と口枠との間の両側に配置した長側板と、底板と口枠との間の両端に配置した短側板とを具備し、短側板の上端を口枠に回転自在に連結して短側板を起倒自在とし、長側板を上半分の上長側板と下半分の下長側板とで構成して上長側板の上端を口枠に回転自在に連結すると共に下長側板の下端を底板に回転自在に連結し、上長側板の下端と下長側板の上端を回転自在に連結した折り畳みコンテナにおいて、下長側板の外面に凹所を設け、運搬先、物品名等を表示するカードはカードホルダーで保持され、該カードホルダーは、下長側板の凹所内に収納されるカード保持部と、カード保持部の下端から下方に突出した脚部と、脚部の先端から横方向に突出した差込部とが一体に構成されており、下長側板の下端部から下方に向けて底板に回動自在に連結される連結片が突設されていると共に、連結片の側方のスペースには連結片と同方向に突出したカード支持片が突設され、このカード支持片にカードホルダーの差込部が差込まれる差込孔が形成されており、下長側板の下端部にはカードホルダーの脚部を上記凹所内からカード支持片内に向けて通すことができる通し部が形成されていることを特徴とする折り畳みコンテナ。
【請求項２】
カードホルダーのカード保持部の裏面から嵌合凸部が突設され、下長側板の凹所内に上記嵌合凸部が嵌合する嵌合凹部が設けられ、嵌合凸部と嵌合凹部との嵌合面に小突起が設けられていることを特徴とする請求項１記載の折り畳みコンテナ。
【発明の詳細な説明】
【０００１】
【発明の属する技術分野】
この発明は、折り畳みコンテナに関するものである。
【０００２】
【従来の技術】
従来より、図１３に示すように、矩形状の底板２と、底板２の上方に配置した矩形枠状の口枠３と、底板２と口枠３との間の両側に配置した長側板４と、底板２と口枠３との間の両端に配置した短側板９とを具備し、短側板９の上端を口枠３に回転自在に連結して短側板９を起倒自在にし、長側板４を上半分の上長側板５と下半分の下長側板６とで構成して上長側板５の上端を口枠３に回転自在に連結すると共に下長側板６の下端を底板２に回転自在に連結し、上長側板５の下端と下長側板６の上端をヒンジ部材５１を介して回転自在に連結した折り畳みコンテナ１′が知られている。
【０００３】
【発明が解決しようとする課題】
ところで、折り畳みコンテナ１′の側面には、通常、運搬先、物品名等を表示するためのカード或いはラベル等（以下、カード１１」という。）を貼り付けているが、長側板４の外面に貼った場合、カード１１によって上長側板５と下長側板６の外面同士が重なり合わず、特にカード１１に厚みのある場合は完全に折り畳むことができなくなるという不都合がある。
【０００４】
そこで、従来では、図１３のように短側板９の外面にカード１１を貼るようにしているが、この場合、集配センター或いは工場内等でコンテナ１に物を収納して移送する際に、コンベア１３の側方から短側板９が見えにくく、特に多数のコンテナ１が同時進行するときなどには、間隔Ｄが詰まって短側板９に貼ったカード１１が隠れてしまい、作業者の目視によるチェック、或いは光電発信装置５０等による自動読み取りができなくなるという不都合があった。
【０００５】
本発明は、上記従来例に鑑みてなされたもので、その目的とするところは、カードを長側板の外面に取り付けることにより、カードのチェックを容易とし、しかも、カードを長側板の外面に取り付けた構造でありながら、上下の長側板を完全に折り畳むことができるようにした折り畳みコンテナを提供するにあり、また、下長側板と底板との回動連結部分のスペースを有効に利用してカードを簡単に且つ確実に取り付けることができるようにした折り畳みコンテナを提供するにある。
【０００６】
【課題を解決する手段】
上記課題を解決するために、本発明は、矩形状の底板２と、底板２の上方に配した矩形枠状の口枠３と、底板２と口枠３との間の両側に配置した長側板４と、底板２と口枠３との間の両端に配置した短側板９とを具備し、短側板９の上端を口枠３に回転自在に連結して短側板９を起倒自在にし、長側板４を上半分の上側板５と下半分の下長側板６とで構成して上長側板５の上端を口枠３に回転自在に連結すると共に下長側板６の下端を底板２に回転自在に連結し、上長側５の下端と下長側板６の上端を回転自在に連結した折り畳みコンテナにおいて、下長側板６の外面に凹所１０を設け、運搬先、物品名等を表示するカード１１はカードホルダー１２で保持され、該カードホルダー１２は、下長側板６の凹所１０内に収納されるカード保持部１４と、カード保持部１４の下端から下方に突出した脚部１５と、脚部１５の先端から横方向に突出した差込部１６とが一体に構成されており、下長側板６の下端部６ａから下方に向けて底板２に回動自在に連結される連結片２０が突設されていると共に、連結片２０の側方のスペースＳには連結片２０と同方向に突出したカード支持片１７が突設され、このカード支持片１７にカードホルダー１２の差込部１６が差込まれる差込孔１８が形成されており、下長側板６の下端部６ａにはカードホルダー１２の脚部１５を上記凹所１０内からカード支持片１７内に向けて通すことができる通し部１９が形成されていることを特徴としており、このように構成することで、集配センター或いは工場内等でコンテナ１に物を収納して移送する際には、下長側板６の外面に配置されたカード１１が見やすくなり、たとえコンベア１３上を多数のコンテナ１が同時進行する場合であっても、作業者の目視によるチェック、或いは光電発信装置等による自動読み取りがそれぞれ容易となる。一方、コンテナ１の折り畳み時には、凹所１０内にカード１１を保持したカードホルダー１２が収納されているので、カード１１を長側板４の外面に取付けた構造でありながら、上長側板５と下長側板６とを完全に折り畳むことができるようになる。ここで、カード１１とは、運搬先、物品名等を表示するカード類以外に、ラベルやその他の表示シートを広く含む概念である。また下長側板６の底板２に回動自在に連結される連結片２０の側方のスペースＳを有効に利用してカードホルダー１２を支持できるようになり、また、カードホルダー１２の差込部１６を凹所１０とは別の位置に設けたカード支持片１７の差込孔１８に差し込むだけでよいので、カード１１を貼着したりする場合と比較して、カードホルダー１２の取り付けを簡単に行うことができる。また、カードホルダー１２のカード保持部１４を凹所１０内に収納し、脚部１５を通し部１９に通し、差込部１６をカード支持片１７の差込孔１８に差し込むことによって、カードホルダー１２を長側板４の外面に取り付けた状態でも、上長側板５と下長側板６との折り畳みを完全に行うことができるようになる。
【０００８】
また上記カードホルダー１２のカード保持部１４の裏面に嵌合凸部２３が設けられ、下長側板６の凹所１０内に上記嵌合凸部２３が嵌合する嵌合凹部２４が設けられ、嵌合凸部２３と嵌合凹部２４との嵌合面に小突起２５が設けられているのが好ましく、このように構成することで、カードホルダー１２のカード保持部１４を下長側板６に凹凸嵌合によって簡単に取り付けることができると共に、小突起２５によってカードホルダー１２の外れを確実に防止できるようになる。
【０００９】
【発明の実施の形態】
以下、本発明の実施形態の一例を説明する。
【００１０】
本実施形態の折り畳みコンテナ１（以下、「コンテナ１」という。）は、矩形状の底板２と、底板２の上方に配置した矩形枠状の口枠３と、底板２と口枠３との間の両側に配置した長側板４と、底板２と口枠３との間の両端に配置した短側板９とを具備しており、短側板９の上端を口枠３に回転自在に連結して短側板９を起倒自在とし、長側板４を上半分の上長側板５と下半分の下長側板６とで構成して上長側板５の上端を口枠３に回転自在に連結すると共に下長側板６の下端を底板２に回転自在に連結し、上長側板５の下端と下長側板６の上端は連結部８を介して回転自在に連結されている。
【００１１】
口枠３は、図１、図４に示すように、平面視長方形枠状に形成されており、その上面に開口部を開閉する合成樹脂製の２枚の蓋板７が回動自在に取付けられている。２枚の蓋板７の各先端には、互いに噛み合って係合する凹凸係合部７ｄがそれぞれ設けられている。図４中の３ｅは口枠３と上長側板５とを回動自在に連結するヒンジ片である。
【００１２】
長側板４は、図２に示すように、下長側板６と上長側板５とに分割されていると共に、上長側板５の下端と下長側板６の上端とが連結軸部８ａ及び軸受け部８ｂ等によって回動自在に連結されている。ここでは、上長側板５の下端（又は下長側板６の上端）に、連結軸部８ａとこの連結軸部８ａの両端に連設されて連結軸部８ａから遠去かる方向に先細状となるように傾斜したテーパー状凸部８ｃ，８ｄとが一体成形されており、下長側板６の上端（又は上長側板５の下端）に、断面Ｃ字状の軸受け部８ｂとこの軸受け部８ｂの両端に連設されて上記テーパー状凸部８ｃ，８ｄと同方向に傾斜したテーパー状凹部８ｅ，８ｆとが一体成形されている。そして、連結軸部８ａを軸受け部８ｂの開口部に押し込むことによって連結軸部８ａが回転自在に嵌め込まれると共に、テーパ状凸部８ｃ，８ｄがテーパ状凹部８ｅ，８ｆに嵌め込まれることにより、全体がくさび状をした連結部８が複数個形成されると共に、テーパ状凸部８ｃ，８ｄがテーパ状凹部８ｅ，８ｆに隙間なく嵌め込まれることによってがたつきが発生するのを防止できるようになる。なお、下長側板６と上長側板５は後述の短側板９を起こすことによって起立状態で保持され、また、短側板９を倒すことによって折り畳み可能な状態となる。
【００１３】
上長側板５の外面及び下長側板６の外面には、内側に凹んだ凹所１０がそれぞれ設けられている。本実施形態では、下長側板６の外面の凹所１０内に、運搬先、物品名を表示するためのカード或いはラベル等（以下、「カード１１」という。）が配置されている。このカード１１に表示されるのは、運搬先、物品名に限られず、例えば商品のバーコードやキャッチフレーズ、さらには品質、産地、販売会社名、効能、賞味期限等のような商品に関連するあらゆる情報を広く含めることができるものである。
【００１４】
上記カード１１は、下長側板６に取り付けられるカードホルダー１２にて保持されている。このカードホルダー１２は、図２に示すように、カード１１を保持するカード保持部１４と、カード保持部１４の下端両側からそれぞれ突設された複数本（例えば３本）の脚部１５と、差込部１６，１６とが一体に構成されている。カード保持部１４は、クリップ形状の基板３０と略く字状のカード押さえ片３１とで構成され、基板３０とカード押さえ片３１との間にカード１１を挟んで保持できるようになっている。カード保持部１４の厚みは下長側板６の凹所１０の深さよりも薄く形成されている。また、カード保持部１４の下端部から垂下した複数の脚部１５の下端部間には水平バー３５が架け渡されており、この水平バー３５の両先端部がそれぞれ横方向に突出した差込部１６となっている。
【００１５】
一方、下長側板６の下端部６ａには、図５、図６に示すように、下方に向かって複数の連結片２０とカード支持片１７とがそれぞれ突設されている。図５は下長側板６の正面図、図６は背面図を示している。連結片２０は幅広の連結片２０ａと幅狭の連結片２０ｂとからなり、各連結片２０の幅方向の両端部には、底板２側に設けられたピン孔部（図示せず）に回転自在に挿入される連結ピン３６がそれぞれ突設されている。このように連結片２０ａ，２０ｂを複数突設させたことで、連結片２０ａ，２０ｂにかかる荷重を軽減できるようになっている。また、カード支持片１７は、下長側板６の下端部６ａの中央部から、連結片２０と同一方向に向かって突設されている。このカード支持片１７は、横方向に幅広に形成されていると共に、図７（ａ）に示すように、断面略Ｃ字状に形成され、幅方向の両端部には同（ｂ）に示すように、横方向に開口した差込孔１８がそれぞれ形成されており、各差込孔１８内に、前記カードホルダー１２の差込部１６が差込み可能となっている。ここで図７（ａ）は図５のイーイ線断面図、同（ｂ）は図５のローロ線断面図、同（ｃ）は図５のハーハ線断面図をそれぞれ示している。
【００１６】
さらに、下長側板６の下端部６ａには、カードホルダー１２の脚部１５を通すことができる複数（例えば３つ）の通し部１９が凹状に形成されている。通し部１９は脚部１５を収納する役割と、脚部１５を位置決めする役割とを果たすものであり、本実施形態では、通し部１９は、下長側板６の下端部６ａの一部を凹状に凹ませた形状となっているが、切り欠きによって形成されてもよい。なお、通し部１９の数はカードホルダー１２の脚部１５の数に応じて増減可能である。
【００１７】
しかして、下長側板６の外面に設けた凹所１０内にカード１１を配設するにあたっては、カードホルダー１２の基板３０とカード押さえ片３１の間にカード１１を挟んで保持すると共に、カードホルダー１２の下端の差込部１６を下長側板６のカード支持片１７の両端部に設けた差込孔１８にそれぞれ差し込み、カードホルダー１２の脚部１５を下長側板６の通し部１９に挿入し、カード保持部１４を下長側板６の凹所１０内に収納することにより、カードホルダー１２を下長側板６に対して簡単に取り付けることができる。なおカードホルダー１２へのカード１１の取り付けは、カードホルダー１２を下長側板６に取り付ける前、或いは取り付けた後のいずれであってもよい。
【００１８】
このように、コンテナ１の下長側板６の外面に凹所１０を設け、この凹所１０内にカード１１を収納配置したことにより、図１に示すように、集配センター或いは工場内等でコンベア１３上にコンテナ１に物を収納して移送する際に、コンベア１３の側方位置からでもカード１１が見えやすくなり、たとえ多数のコンテナ１が同時進行する場合であっても、作業者の目視によるチェック、或いは光電発信装置５０等による自動読み取りがそれぞれ容易となり、搬送先や商品名等を間違いなくチェックすることができる。また、カードホルダー１２のカード保持部１４を凹所１０内に収納し、脚部１５を通し部１９に通し、差込部１６をカード支持片１７の差込孔１８に差し込むことによって、カードホルダー１２を長側板４の外面に取り付けたままの状態で、上長側板５と下長側板６とを完全に折り畳むことができるようになり、カードホルダー１２が折り畳みの支障になることはない。
【００１９】
また、下長側板６の連結片２０の側方のスペースＳ内に、カード支持片１７を突設させたことにより、カードホルダー１２を該スペースＳを有効に利用して支持できると共に、カード支持片１７は幅広に形成されているので、スペースＳをカード支持片１７で塞ぐことができ、連結片２０と共に下長側板６と底板２との回動連結部分に隙間が生じないようにすることができる。しかも、連結片２０とカード支持片１７は略同じ断面形状を有しているので、コンテナ１の成形金型の構造を大きく修正する必要もなくなる。また、下長側板６及び上長側板５の外面に凹所１０をそれぞれ設けると共に、各凹所１０の外周部をテーパー面１０ａとすることにより、長側板４及び短側板９の外面が滑らかとなり、これにより雨水等が溜まるのを防止でき、さらにテーパー面１０ａによって補強リブを突出させた場合と同様な補強効果が得られるようになり、コンテナ１全体の強度を確保できるようになる。
【００２０】
なお、下長側板６と上長側板５とは同じ成形金型で成形されるので、上長側板５にも同様な凹所１０と通し部１９と差込孔１８を有するカード支持片１７とがそれぞれ形成されているので、カードホルダー１２を上長側板５の凹所１０側に取付けることも可能であるが、カードホルダー１２の取付けの安定性を考慮すれば、下長側板６に取付ける方が好ましい。
【００２１】
また、カードホルダー１２の他の実施形態として、図１０〜図１２に示すように、カード保持部１４の基板３０の裏面から、ボス状の嵌合凸部２３を突設させ、一方、下長側板６の凹所１０内に上記嵌合凸部２３が嵌合する嵌合凹部２４を凹設し、嵌合凸部２３を嵌合凹部２４内に嵌合させるようにしてもよいものである。また、嵌合凸部２３の外周面には、周方向に小突起２５が複数条設けられており、これにより嵌合凸部２３が嵌合凹部２４から容易に抜けないようになり、カードホルダー１２を下長側板６に外れ難い状態で取り付け可能となっている。ここで、例えば下長側板６の厚みは２ｍｍ、嵌合凹部２４の深さは１．２ｍｍ〜１．８ｍｍ、嵌合凸部２３の外径はφ４、小突起２５の外径はφ4 ．２程度にそれぞれ設定される。図１２（ａ）中の３０ａは略く字状のカード押さえ片３１に対向して設けられた開口部であり、これにより、カード押さえ片３１によるカードの挟み力を高めるようにしてある。尚、小突起２５を嵌合凸部２３の外周面に設けずに、嵌合凹部２４の内周面に設けることも可能である。
【００２３】
【発明の効果】
以上説明したように、本発明のうち請求項１記載の発明は、矩形状の底板と、底板の上方に配置した矩形枠状の口枠と、底板と口枠との間の両側に配置した長側板と、底板と口枠との間の両端に配置した短側板とを具備し、短側板の上端を口枠に回転自在に連結して短側板を起倒自在とし、長側板を上半分の上長側板と下半分の下長側板とで構成して上長側板の上端を口枠に回転自在に連結すると共に下長側板の下端を底板に回転自在に連結し、上長側板の下端と下長側板の上端を回転自在に連結した折り畳みコンテナにおいて、下長側板の外面に凹所を設け、この凹所内に運搬先、物品名等を表示するカードを保持したカードホルダーを収納配置して成るから、カードを長側板の外面に取り付けたことにより、集配センター或いは工場内等でコンテナに物を収納して移送する際には、カードが見やすくなり、たとえコンベア上を多数のコンテナが同時進行する場合であっても、作業者の目視によるチェック、或いは光電発信装置等による自動読み取りがそれぞれ容易となり、搬送先や商品名等を間違いなくチェックすることができる。しかも、コンテナの折り畳み時には、長側板の外面に設けた凹所内にカードを保持したカードホルダーが収納されているので、仮りに厚みのあるカードであっても、上長側板と下長側板との折り畳みを完全に行うことができるものである。またカードはカードホルダーで保持され、該カードホルダーは、下長側板の凹所内に収納されるカード保持部と、カード保持部の下端から下方に突出した脚部と、脚部の先端から横方向に突出した差込部とが一体に構成されており、下長側板の下端部から下方に向けて底板に回動自在に連結される連結片が突設されていると共に、連結片の側方の空きスペースには連結片と同方向に突出したカード支持片が突設され、このカード支持片にカードホルダーの差込部が差込まれる差込孔が形成されており、下長側板の下端部にはカードホルダーの脚部を上記凹所内からカード支持片内に向けて通すことができる通し部が形成されているから、下長側板の底板に回動自在に連結される連結片の側方の空きスペースを有効に利用してカードホルダーを支持できるようになる。また、カードホルダーの差込部を凹所とは別の位置に設けたカード支持片の差込孔に差し込むだけでよいので，カードを貼着したりする場合と比較して、カードホルダーの取り付けを簡単に行うことができる。また、カードホルダーのカード保持部を凹所内に収納し、脚部を通し部に通し、差込部をカード支持片の差込孔に差し込むことによって、カードホルダーを長側板の外面に取り付けた状態でも、上長側板と下長側板との折り畳みを完全に行うことができ、カード及びカードホルダーが折り畳みの支障になることはないものである。
【００２５】
また請求項２記載の発明、請求項１記載の効果に加えて、カードホルダーのカード保持部の裏面に嵌合凸部が設けられ、下長側板の凹所内に上記嵌合凸部が嵌合する嵌合凹部が設けられ、嵌合凸部と嵌合凹部との嵌合面に小突起が設けられているから、カードホルダーのカード保持部を下長側板に凹凸嵌合によって簡単に取り付けることができると共に、小突起状の凸状部によって嵌合面でのがたつきの発生や、カードホルダーの外れを防止でき、カードホルダーを安定的に保持できるようになる。
【図面の簡単な説明】
【図１】本発明の実施形態の一例を示す斜視図である。
【図２】同上の長側板の正面図である。
【図３】（ａ）は同上のコンテナの側面図、（ｂ）は底面図、（ｃ）は折り畳み状態の側面図である。
【図４】同上のコンテナの折り畳み状態の斜視図である。
【図５】同上の下長側板の正面図である。
【図６】同上の下長側板の背面図である。
【図７】（ａ）は図５のイ−イ線断面図、（ｂ）は図５のロ−ロ線断面図、（ｃ）は図５のハ−ハ線断面図である。
【図８】同上のカードホルダーの取り付け状態を説明する斜視図である。
【図９】図８のニーニ線断面図である。
【図１０】他の実施形態のカードホルダーを下長側板に取付けた状態の断面図である。
【図１１】（ａ）は同上のカードホルダーの正面図、（ｂ）は下面図、（ｃ）は側面図である。
【図１２】（ａ）は図１１（ａ）のＣ−Ｃ線断面図、（ｂ）は図１１（ａ）のＤ−Ｄ線断面図、（ｃ）は図１１（ａ）のＥ−Ｅ線断面図である。
【図１３】従来のコンテナの短側板にカードを貼着した場合の説明図である。
【符号の説明】
１  折り畳みコンテナ
２  底板
３  口枠
４  長側板
５  上長側板
６  下長側板
９  短側板
１０  凹所
１１  カード
１２  カードホルダー
１４  カード保持部
１５  脚部
１６  差込部
１７  カード支持片
１８  差込孔
１９  通し部
２０  連結片
２３  嵌合凸部
２４  嵌合凹部
２５  小突起
【図１】
0003695681.tif 000002
【図２】
0003695681.tif 000003
【図３】
0003695681.tif 000004
【図４】
0003695681.tif 000005
【図５】
0003695681.tif 000006
【図６】
0003695681.tif 000007
【図７】
0003695681.tif 000008
【図８】
0003695681.tif 000009
【図９】
0003695681.tif 000010
【図１０】
0003695681.tif 000011
【図１１】
0003695681.tif 000012
【図１２】
0003695681.tif 000013
【図１３】
0003695681.tif 000014